(57)【要約】 【課題】  鉄筋コンクリート造の架構にブレースを経済的に組み入れ、耐震性能に優れる制震構造物を安価に提供することを目的とする。【解決手段】  間隔をあけて立設される鉄筋コンクリート造の複数の柱２と、隣り合う柱２の間に上下に間隔をあけて架設される鉄筋コンクリート造の複数の梁３と、隣り合う柱２および上下で対向する梁３によって形成された架構フレーム４内に配置されるブレース５とが備えられている制震構造物１において、柱２と梁３とが接合される仕口部６内には柱２の軸方向に延在する柱鉄骨部材７が埋設され、梁３の端部内には梁３の軸方向に延在する梁鉄骨部材１０が埋設され、柱鉄骨部材７は仕口部６直上の柱２下部から仕口部６直下の柱２上部にかけて設けられ、梁鉄骨部材１０の端部は柱鉄骨部材７の中間部に接合され、柱鉄骨部材７と梁鉄骨部材１０との入隅にはブレース５の端部が接合されるガセットプレート１４が接合されている。【選択図】      図１
2005036598.tif 000002
【特許請求の範囲】
【請求項１】
間隔をあけて立設される鉄筋コンクリート造の複数の柱と、隣り合う該柱の間に上下に間隔をあけて架設される鉄筋コンクリート造の複数の梁と、隣り合う前記柱および上下で対向する前記梁によって矩形に形成された架構フレーム内に配置される斜めに延在するブレースとが備えられている制震構造物において、
前記柱と前記梁とが接合される仕口部内には前記柱の軸方向に延在する柱鉄骨部材が埋設され、前記梁の端部内には該梁の軸方向に延在する梁鉄骨部材が埋設され、前記柱鉄骨部材は前記仕口部直上の前記柱下部から該仕口部直下の前記柱上部にかけて設けられ、前記梁鉄骨部材の端部は前記柱鉄骨部材の中間部に接合され、前記柱鉄骨部材と前記梁鉄骨部材との入隅には前記ブレースの端部が接合されるガセットプレートが接合されていることを特徴とする制震構造物。
【請求項２】
請求項１記載の制震構造物において、
前記柱鉄骨部材には、前記柱の軸に直交する方向に延在する柱シアコネクタが接合されていることを特徴とする制震構造物。
【請求項３】
請求項１または２記載の制震構造物において、
前記梁鉄骨部材には、前記梁の軸に直交する方向に延在する梁シアコネクタが接合されていることを特徴とする制震構造物。
【発明の詳細な説明】
【技術分野】
【０００１】
本発明は、柱と梁とで形成された架構フレーム内にブレースが配置されている制震構造物に関する。
【背景技術】
【０００２】
近年、制震ダンパー等のブレースを鉄筋コンクリート造構造物の柱と梁とで形成された架構内に組み入れることで、鉄筋コンクリート造構造物の地震時応答変位を低減し、変形性能の劣る鉄筋コンクリート造構造物の損傷を軽減させる構造物が提案されている。一般的に、ブレースは鋼構造の架構内に組み入れ、鋼製接合部（ガセットプレート）に接合されている。したがって、従来、鉄筋コンクリート構造の架構内にブレースを組み入れる場合には、鋼製接合部を設置してブレースを接合させるため、ブレースを組み入れる架構全体を鉄骨鉄筋コンクリート構造にする必要がある。（例えば、特許文献１参照。）。
【特許文献１】特開２０００−２１３２０１号公報  （第３−５頁、第２図）
【発明の開示】
【発明が解決しようとする課題】
【０００３】
しかしながら、上記した従来の方法では、ブレースが組み入れられる架構に鉄骨架構を形成しなければならず、鉄骨架構を形成する工事にかかる材料費および組立費は非常に高いため、結果としてブレースを組み入れる工事の施工コストが嵩むという問題が存在する。
【０００４】
本発明は、上記した従来の問題が考慮されたものであり、鉄筋コンクリート造の架構に減衰力の大きいブレースを経済的に組み入れ、耐震性能に優れる制震構造物を安価に提供することを目的としている。
【課題を解決するための手段】
【０００５】
請求項１記載の発明は、間隔をあけて立設される鉄筋コンクリート造の複数の柱と、隣り合う該柱の間に上下に間隔をあけて架設される鉄筋コンクリート造の複数の梁と、隣り合う前記柱および上下で対向する前記梁によって矩形に形成された架構フレーム内に配置される斜めに延在するブレースとが備えられている制震構造物において、前記柱と前記梁とが接合される仕口部内には前記柱の軸方向に延在する柱鉄骨部材が埋設され、前記梁の端部内には該梁の軸方向に延在する梁鉄骨部材が埋設され、前記柱鉄骨部材は前記仕口部直上の前記柱下部から該仕口部直下の前記柱上部にかけて設けられ、前記梁鉄骨部材の端部は前記柱鉄骨部材の中間部に接合され、前記柱鉄骨部材と前記梁鉄骨部材との入隅には前記ブレースの端部が接合されるガセットプレートが接合されていることを特徴としている。
【０００６】
このような特徴により、柱鉄骨部材は仕口部の直上から直下にかけて形成されているだけであり、上下方向に配置される他の柱鉄骨部材とは連続されていない。また、梁鉄骨部材は梁端部に埋設されているだけでよく、梁中央部内に鉄骨部材を埋設しなくても良く、或いは梁中央部内の鉄骨部材を安価なもので形成しても問題はない。
【０００７】
請求項２記載の発明は、請求項１記載の制震構造物において、前記柱鉄骨部材には、前記柱の軸に直交する方向に延在する柱シアコネクタが接合されていることを特徴としている。
【０００８】
このような特徴により、ブレースから受ける鉛直方向の力は、柱シアコネクタにより、鉄筋コンクリート造の柱に伝達される。
【０００９】
請求項３記載の発明は、請求項１または２記載の制震構造物において、前記梁鉄骨部材には、前記梁の軸に直交する方向に延在する梁シアコネクタが接合されていることを特徴としている。
【００１０】
このような特徴により、ブレースから受ける水平方向の力は、梁シアコネクタにより、鉄筋コンクリート造の梁に伝達される。
【発明の効果】
【００１１】
上記した本発明に係る制震構造物によれば、仕口部内には直上から直下にかけて形成された柱鉄骨部材が設けられ、柱鉄骨部材の中間部からは梁内に埋設された梁鉄骨部材が張り出され、柱鉄骨部材と梁鉄骨部材との入隅にはブレースの端部が接合するガセットプレートが接合されているため、鉄筋コンクリート造の架構に減衰力の大きいブレースが組み入れられ、耐震性能に優れた制震構造物を構築することができる。また、柱鉄骨部材は仕口部の直上から直下にかけて形成されているだけであり、上下方向に配置される他の柱鉄骨部材とは連続されてなく、梁鉄骨部材は梁端部に埋設されているだけであるため、ブレースを組み入れる作業は経済的に施工することができ、耐震性能に優れた制震構造物を安価に提供することができる。
【発明を実施するための最良の形態】
【００１２】
以下、本発明に係る制震構造物の実施の形態について、図面に基いて説明する。
【００１３】
図１は制震構造物１の断面図である。図１に示すように、制震構造物１は、間隔をあけて立設された鉄筋コンクリート造の複数の柱２と、隣り合う柱２の間に上下に間隔をあけて架設される鉄筋コンクリート造の複数の梁３と、隣り合う柱２および上下で対向する梁３によって矩形に形成された架構フレーム４内に配置される斜めに延在するブレース５とで構成されている。
【００１４】
柱２は、鉛直方向に延在する角柱形のコンクリート内に、図示せぬ柱主筋とフープ筋とからなる鉛直方向に延在する図示せぬ柱鉄筋籠を埋設されて形成されており、梁３は、水平方向に延在する角柱形のコンクリート内に、図示せぬ梁主筋とスタラップ筋とからなる水平方向に延在する図示せぬ梁鉄筋籠を埋設されて形成されている。
【００１５】
柱２と梁３とが接合されている仕口部６には、柱２の軸方向に延在するＨ形鋼からなる柱鉄骨部材７が埋設されており、柱鉄骨部材７は上下方向に複数形成された仕口部６のうち一層おきの仕口部６内に設けられている。また、柱鉄骨部材７は上記した図示せぬ柱鉄筋籠内に設けられているとともに、仕口部６直上の柱２下部から仕口部６直下の柱２上部にかけて設けられており、上下方向に複数設けられた柱鉄骨部材７同士は接合されていない。
【００１６】
仕口部６直上の柱２下部内に埋設されている柱鉄骨部材７の対向するフランジ７ａの間には柱２の軸に直交する方向（水平方向）に延在する柱リブプレート８が設けられており、柱リブプレート８はウェブ７ｂを挟んで一対に複数段（図では２段）設けられている。柱リブプレート８は、対向するフランジ７ａとウェブ７ｂとにそれぞれ溶接接合されている。複数の柱リブプレート８上方のウェブ７ｂには複数の柱スタッド９がウェブ７ｂ面に垂直に接合されており、複数の柱スタッド９はウェブ７ｂの両面にそれぞれ設けられている。柱リブプレート８および柱スタッド９によって、柱鉄骨部材７に接合される柱シアコネクタは構成されている。
【００１７】
梁３の端部内には、梁３の軸方向に延在するＨ形鋼からなる梁鉄骨部材１０が埋設されており、梁鉄骨部材１０の一端部は仕口部６内に配置されて柱鉄骨部材７の中間部に接合されている。梁鉄骨部材１０他端部の対向するフランジ１０ａの間には梁３の軸に直交する方向（鉛直方向）に延在する梁リブプレート１１が設けられており、梁リブプレート１１はウェブ１０ｂを挟んで一対に複数（二列）設けられている。梁リブプレート１１は、対向するフランジ１０ａとウェブ１０ｂとにそれぞれ溶接接合されている。複数の梁リブプレート１１間のウェブ１０ｂには複数の第１の梁スタッド１２がウェブ１０ｂ面に垂直に接合されており、複数の第１の梁スタッド１２はウェブ１０ｂの両面にそれぞれ設けられている。梁リブプレート１１および梁スタッド１２によって、梁鉄骨部材１０に接合される梁シアコネクタは構成されている。
【００１８】
対向する梁鉄骨部材１０の他端部の間には、梁３の中央部に埋設される鋼板（ウェブのみ）からなる横架材１３が架設されており、横架材１３は梁鉄骨部材１０のウェブ１０ｂに一体に形成されている。
【００１９】
柱鉄骨部材７と梁鉄骨部材１０との入隅には、梁３端部の上方および下方に突出されブレース５の一端部が接合される第１のガセットプレート１４がそれぞれ設けられている。第１のガセットプレート１４は柱鉄骨部材７のフランジ７ａと梁鉄骨部材１０のフランジ１０ａとにそれぞれ溶接接合されており、梁３端部の上方および下方に位置する第１のガセットプレート１４端部の両面には斜めリブプレート１５が直角にそれぞれ接合されている。斜めリブプレート１５は、柱２の軸心と梁３の軸心との交点に向かって斜めに延在されており、第１のガセットプレート１４端部および斜めリブプレート１５には図示せぬボルト孔がそれぞれあけられている。また、第１のガセットプレート１４の両面には、柱２側面および梁３上下面に接するようにＬ形に屈曲されたＬ形リブプレート１６が垂直にそれぞれ接合されている。
【００２０】
第１のガセットプレート１４の斜め上方、或いは第１のガセットプレート１４の斜め下方に位置され、梁鉄骨部材１０が埋設された梁３の上方に架設されている梁３の中央部には、ブレース５の他端部が接合されるＸ形鋼板からなる第２のガセットプレート１７が設けられている。第２のガセットプレート１７は、梁３に上下で貫通されており、梁３の上面および下面からそれぞれ二又に分かれて突出されている。梁３の上方または下方に突出された第２のガセットプレート１７端部の両面には、第１のガセットプレートに向けて延在する斜めリブプレート１８が垂直にそれぞれ接合されており、第２のガセットプレート１７端部および斜めリブプレート１８には図示せぬボルト孔がそれぞれあけられている。
【００２１】
第２のガセットプレート１７の両面には、梁３の底面または上面に接する水平リブプレート１９が垂直にそれぞれ接合されている。また、梁３内に埋設される第２のガセットプレート１７の両面には、鉛直方向に延在する複数の鉛直リブプレート２０が直角にそれぞれ接合されている。複数の鉛直リブプレート２０は、梁３の底面に接する水平リブプレート１９と梁３の上面に接する水平リブプレート１９との間で間隔をあけて配置されている。複数の鉛直リブプレート２０の間に位置する第２のガセットプレート１７の両面には、複数の第２の梁スタッド２１が第２のガセットプレート１７面に垂直にそれぞれ接合されている。
【００２２】
第２のガセットプレート１７の複数の端部と複数の第１のガセットプレート１４の端部との間にはブレース５がそれぞれ配置され、複数のブレース５は第２のガセットプレート１７を中心にＸ形に配置されている。
【００２３】
図２はブレース５を表す平面図であり、図３はブレース５の断面図である。図２、図３に示すように、ブレース５は、芯材２２と、芯材２２を囲むように設けられた筒状の補剛体２３とを備えた構成となっている。芯材２２は、低降伏点鋼によって形成されており、その降伏応力度は、通常の本体鉄骨以下のものとなっている。芯材２２は中央部２２ａが両端部２２ｂより幅が狭まった形状のものであり、芯材２２の両端部２２ｂには軸方向に延在するリブプレート２４が直角にそれぞれ溶接されている。
【００２４】
補剛体２３は、二つの溝形鋼２５のフランジ２５ａ同士をカバープレート（鋼板）２６とツヅリボルト２７によってそれぞれ接合し、内部に断面視矩形状の閉鎖空間２８を形成するようにしたものである。これら溝形鋼２５およびツヅリボルト２７は、芯材２２に比較して降伏応力度の大きい鋼材により形成されている。二つの溝形鋼２５の中間部には、軸方向と直交する方向に延在するリブプレート２９が中央およびその両側に間隔をあけてそれぞれ溶接されており、間隔をあけて配置されたリブプレート２９の間には軸方向に延在するリブプレート３０がそれぞれ溶接されている。
【００２５】
閉鎖空間２８には、芯材２２の中央部２２ａが挿通されており、補剛体２３と芯材２２の中央部２２ａとの間には、ゴムパッキン（押圧材）３１が、板状に形成された芯材２２の両面に接するように配置されている。ゴムパッキン３１は、補剛体２３の長さ寸法と略同一の長さ寸法を有するものとされており、芯材２２は、このゴムパッキン３１を介して補剛体２３側から均等に押圧されている。
【００２６】
図１、図２に示すように、芯材２２の両端部２２ｂは、スプライスプレート３２を介して第１のガセットプレート１４または第２のガセットプレート１７にそれぞれ高力ボルトにより２面摩擦接合されており、芯材２２の両端部２２ｂに設けられたリブプレート２４は、第１のガセットプレート１４に設けられた斜め方向に延在する斜めリブプレート１５、または第２のガセットプレート１７に設けられた斜め方向に延在する斜めリブプレート１８にスプライスプレート３２を介してそれぞれ高力ボルトにより２面摩擦接合されている。
【００２７】
次に、上記した構成からなる制震構造物１の施工方法について説明する。
【００２８】
まず、予め、工場などで柱鉄骨部材７の中間部に梁鉄骨部材１０の一端部を直角に接合する。このとき、柱鉄骨部材７の上下端の対向するフランジ７ａの間に複数の柱リブプレート８をそれぞれ溶接接合するとともに、柱鉄骨部材７の上下端のウェブ７ｂ両面に複数の柱スタッド９をスタッド溶接によりそれぞれ接合する。また、梁鉄骨部材１０の他端部の対向するフランジ１０ａの間に複数の梁リブプレート１１をそれぞれ溶接接合するとともに、梁鉄骨部材１０の他端部のウェブ１０ｂ両面に複数の第１の梁スタッド１２をスタッド溶接によりそれぞれ接合する。
【００２９】
そして、梁鉄骨部材１０の上下方に位置する柱鉄骨部材７と梁鉄骨部材１０との入隅に第１のガセットプレート１４をそれぞれ配置し、第１のガセットプレート１４を柱鉄骨部材７のフランジ７ａおよび梁鉄骨部材１０のフランジ１０ａにそれぞれ溶接接合する。また、第１のガセットプレート１４の両面に、斜めリブプレート１５およびＬ形リブプレート１６をそれぞれ溶接接合する。また、梁鉄骨部材１０にはウェブ１０ｂに横架材１３が一体形成されたものを使用し、２本の柱鉄骨部材７と、２本の柱鉄骨部材７中央部から張り出された２本の梁鉄骨部材１０と、２本の梁鉄骨部材１０の間に架設された横架材１３とによって、Ｈ形の接合部材を形成する。
【００３０】
また、第２のガセットプレート１７の中央両面に、複数の水平リブプレート１９および複数の鉛直リブプレート２０をそれぞれ溶接接合するとともに、複数の第２の梁スタッド２１をスタッド溶接によりそれぞれ接合する。また、Ｘ形の第２のガセットプレート１７のそれぞれの端部両面には、斜めリブプレート１８をそれぞれ溶接接合する。
【００３１】
次に、上記した柱鉄骨部材７と梁鉄骨部材１０と第１のガセットプレート１４と横架材１３とが一体に形成された接合部材と、第２のガセットプレート１７とを現場に搬入する。そして、予め組み立てられた、隣り合う二組の図示せぬ柱鉄筋籠の上部間に、柱鉄骨部材７と梁鉄骨部材１０と第１のガセットプレート１４と横架材１３とからなる接合部材を架設する。このとき、柱鉄骨部材７の下端が図示せぬ柱鉄筋籠内に嵌入されるとともに柱鉄骨部材７の中間部が仕口部６内に配置されるように接合部材の位置決めを行い、そして仮固定する。
【００３２】
次に、梁鉄骨部材１０および横架材１３の周りに図示せぬ梁鉄筋籠を組み立てて、そして、図示せぬ柱鉄筋籠および梁鉄筋籠の周りに図示せぬ柱型枠と梁形枠とを建て込む。柱型枠の上部側面および梁形枠の端部底面は、第１のガセットプレート１４を挟み込むように建て込む。次に、上記した図示せぬ柱型枠と梁形枠との中にコンクリートを打設し、コンクリートの固化後に図示せぬ柱型枠と梁形枠とを脱型し、鉄筋コンクリート造の柱２および梁３を形成する。
【００３３】
次に、隣り合う２本の柱鉄骨部材７の上方に図示せぬ柱鉄筋籠をそれぞれ組み立てて、２組の図示せぬ柱鉄筋籠の上端に図示せぬ梁鉄筋籠を架設する。このとき、梁鉄筋籠の中央部に第２のガセットプレート１７を配置する。第２のガセットプレート１７を設置するとき、水平リブプレートが梁３の上面および底面に接して端部が突出するように高さ合わせして位置決めを行い、所定の位置で仮固定する。そして、図示せぬ柱鉄筋籠および梁鉄筋籠の周りに図示せぬ柱型枠と梁形枠とを建て込む。梁形枠の中央部底面は、第２のガセットプレート１７を挟み込むように建て込む。次に、上記した図示せぬ柱型枠と梁形枠との中にコンクリートを打設し、コンクリートの固化後に図示せぬ柱型枠と梁形枠とを脱型し、鉄筋コンクリート造の柱２および梁３を形成する。
【００３４】
次に、下方の梁３の両端部上面からそれぞれ突出された第１のガセットプレート１４と、上方の梁３の中央部下面から突出された二又の第２のガセットプレート１７との間に、ブレース５をそれぞれ配置する。そして、下方の梁３の端部上面から突出された第１のガセットプレート１４の端部とブレース５の一端部とをスプライスプレート３２を介して２面摩擦接合し、上方の梁３の中央部下面から突出された第２のガセットプレート１７の端部とブレース５の他端部とをスプライスプレート３２を介してそれぞれ２面摩擦接合する。
【００３５】
また、第２のガセットプレート１７が設けられた梁３の上層には、上記した方法と同様にして柱２、梁３および第１のガセットプレート１４を形成する。そして、梁３の両端部下面からそれぞれ突出された第１のガセットプレート１４と、梁３の中央部上面から突出された二又の第２のガセットプレート１７との間に、ブレース５をそれぞれ配置し、スプライスプレート３２を介してそれぞれ２面摩擦接合し、複数のブレース５を第２のガセットプレート１７を中心にＸ形に配置する。
【００３６】
上記した構成からなる制震構造物１によれば、仕口部６内には直上から直下にかけて形成された柱鉄骨部材７が設けられ、柱鉄骨部材７の中間部からは梁３内に埋設された梁鉄骨部材１０が張り出され、柱鉄骨部材７と梁鉄骨部材１０との入隅にはブレース５の端部が接合する第１のガセットプレート１４が接合されている。このため、鉄筋コンクリート造の架構フレーム４に減衰力の大きいブレース５が組み入れられ、耐震性能に優れた制震構造物１を構築することができる。
【００３７】
また、柱鉄骨部材７は仕口部６の直上から直下にかけて形成されているだけであり、上下方向に配置される他の柱鉄骨部材７とは連続されていない。また、梁鉄骨部材１０は梁３端部に埋設されているだけであり、梁３中央部内には安価な横架材１３が架設されている。このため、ブレース５を組み入れる作業は経済的に施工することができ、耐震性能に優れた制震構造物１を安価に提供することができる。
【００３８】
また、柱鉄骨部材７には、柱２の軸に直交する方向に延在する柱リブプレート８および柱スタッド９がそれぞれ接合されているため、ブレース５から受ける鉛直方向の力は、柱リブプレート８および柱スタッド９により、鉄筋コンクリート造の柱３のコンクリートおよび柱鉄筋に伝達される。これによって、鉄筋コンクリート造の制震構造物１の地震時応答変位を低減し、変形性能の劣る鉄筋コンクリート造の構造物の損傷を軽減させることができる。
【００３９】
また、梁鉄骨部材１０には、梁３の軸に直交する方向に延在する梁リブプレート１１および第１の梁スタッド１２がそれぞれ接合されているため、ブレース５から受ける水平方向の力は、梁リブプレート１１および第１の梁スタッド１２により、鉄筋コンクリート造の梁３に伝達される。これによって、鉄筋コンクリート造の制震構造物１の地震時応答変位を低減し、変形性能の劣る鉄筋コンクリート造の構造物の損傷を軽減させることができる。
【００４０】
以上、本発明に係る制震構造物１の実施の形態について説明したが、本発明は上記した実施の形態に限定されるものではなく、その趣旨を逸脱しない範囲で適宜変更可能である。例えば、上記した実施の形態では、複数のブレース５は二層の架構フレーム４に跨ってＸ形に配置されているが、本発明は、図４に示すように、梁鉄骨部材１００を梁１０１の全長にわたって埋設し、梁鉄骨部材１００の中央部に第２のガセットプレート１０２を垂設させることで、複数のブレース１０３を第２のガセットプレート１０２を中心にＫ形に配置してもよい。この場合は、ブレース１０３から伝わる鉛直方向の力を梁１０１の中央で受けることになるため、梁鉄骨部材１００は梁１０１端部だけでなく梁１０１全長に伸ばされ、ブレース１０３から伝わる鉛直方向の力を梁鉄骨部材１００で受けることができる。また、梁鉄骨部材１００の中央部に第２のガセットプレート１０２を上方に突設させることで、ブレース１０３をＶ形に配置してもよい。
【００４１】
また、図５に示すように、仕口部２００ａ内に埋設される柱鉄骨部材２０１を隣り合う２本の柱２０２の間で交互に配置し、柱鉄骨部材２０１中央部に接合される梁鉄骨部材２０３を梁２０４の全長にわたって伸ばして反対側の仕口部２００ｂ内に挿入させ、柱鉄骨部材２０１と梁鉄骨部材２０３との入隅にブレース２０５を接合させるガセットプレート２０６を接合し、複数のブレース２０５を稲妻状（ジグザグ）に配置してもよい。
【００４２】
なお、図４における符号１０４は柱を表し、符号１０５は柱鉄骨部材を表し、符号１０６は第１のガセットプレートを表し、符号１０７は柱リブプレートを表し、符号１０８は柱スタッドを表し、符号１０９は梁リブプレートを表し、符号１１０は梁スタッドを表す。また、図５における符号２０７は柱リブプレートを表し、符号２０８は柱スタッドを表し、符号２０９は梁リブプレートを表し、符号２１０は梁スタッドを表す。
【００４３】
また、上記した実施の形態では、対向する梁鉄骨部材１０の間に横架材１３が架設されているが、本発明は、横架材１３を省略して、対向する２本の梁鉄骨部材１０を離して連続させなくてもよい。また、上記した実施の形態では、ブレース５に鋼材系の制震ダンパーを使用しているが、本発明は、粘性系ダンパーは粘性弾性体やオイルダンパーの粘性抵抗をダンパーとして利用した粘性系ダンパーを使用してもよい。また、上記した実施の形態では、柱リブプレート８および柱スタッド９からなる柱シアコネクタが使用されており、梁リブプレート１１および梁スタッド１２からなる梁シアコネクタが使用されているが、本発明は、ブレース５から受ける鉛直方向の軸力を柱３のコンクリートや柱鉄筋に十分に伝達できるのであれば、柱リブプレート８、柱スタッド９、梁リブプレート１１および梁スタッド１２の何れか或いは全部を省略してもよく、また、柱シアコネクタおよび梁シアコネクタに、頭付きスタッド、Ｔヘッドバー、溝形鋼、山形鋼、鉄筋材およびプレートナットを使用してもよい。さらに、上記した実施の形態では、ブレース５は、ブレース５の軸心が柱２の軸心と梁３の軸心との交点に交わるように配置されているが、本発明は、ブレース５は、ブレース５の軸心が柱２の軸心と梁３の軸心との交点からずれるように配置してもよい。
【図面の簡単な説明】
【００４４】
【図１】本発明に係る制震構造物の実施の形態を説明する断面図である。
【図２】本発明に係る制震構造物の実施の形態を説明する部分平面図である。
【図３】本発明に係る制震構造物の実施の形態を説明する部分断面図である。
【図４】本発明に係る制震構造物のその他の実施の形態を説明する断面図である。
【図５】本発明に係る制震構造物のその他の実施の形態を説明する断面図である。
【符号の説明】
【００４５】
１  制震構造物
２、１０４、２０２  柱
３、１０１、２０４  梁
４  架構フレーム
５、１０３、２０５  ブレース
６、２００ａ、２００ｂ  仕口部
７、１０５、２０１  柱鉄骨部材
８、１０７、２０７  柱リブプレート（柱シアコネクタ）
９、１０８、２０８  柱スタッド（柱シアコネクタ）
１０、１００、２０３  梁鉄骨部材
１１、１０９、２０９  梁リブプレート（梁シアコネクタ）
１２  第１の梁スタッド（梁シアコネクタ）
１４、１０６  第１のガセットプレート（ガセットプレート）
１１０、２１０  梁スタッド（梁シアコネクタ）
２０６  ガセットプレート
【図１】
2005036598.tif 000003
【図２】
2005036598.tif 000004
【図３】
2005036598.tif 000005
【図４】
2005036598.tif 000006
【図５】
2005036598.tif 000007